(57)【要約】      （修正有）【課題】本願考案は、風を有効に利用して天日干や一夜干の自然乾燥時間を短縮することができる干物用自然乾燥容器を提供する。【解決手段】干物用自然乾燥容器を、帯板の面を互いに対向させて形成される矩形の枠体と、矩形の枠体の開放両面に取着され網目シートで形成される２つの矩形の蓋体と、矩形の枠体を形成する垂直方向の帯板の対向する面に取着され、魚介類を串刺しおよび／または吊下する串の両端を担持する１対以上の串担持片とからなる構成とし、矩形の蓋体の少なくとも１つを矩形の枠体に対して開閉自在または着脱自在に取着されるようにした。【選択図】図１
0003107614.tif 000002
【実用新案登録請求の範囲】
【請求項１】
帯板の幅広の面を互いに対向させて形成される矩形の枠体と、
前記矩形の枠体の開放両面に取着され網目シートで形成される２つの矩形の蓋体と、
前記矩形の枠体を形成する垂直方向の帯板の対向する２つの幅広の面に取着され、魚介類を串刺しおよび／または吊下する串の両端を担持する１対以上の串担持片とからなり、
前記矩形の蓋体の少なくとも１つが前記矩形の枠体に開閉自在または着脱自在に取着されていることを特徴とする干物用自然乾燥容器。
【請求項２】
前記矩形の枠体を形成する帯板は木製、金属製または合成樹脂製の硬質材料であることを特徴とする請求項１に記載の干物用自然乾燥容器。
【請求項３】
前記矩形の枠体を形成する帯板は金属製あるいは合成樹脂の細棒で形成された矩形のフレームに張架された布製シートまたは合成樹脂製シートであることを特徴とする請求項１に記載の干物用自然乾燥容器。
【請求項４】
前記矩形の枠体に開閉自在に取着される前記矩形の蓋体は、前記矩形の枠体に対して垂直方向または水平方向に摺動して開閉することを特徴とする請求項１ないし請求項３に記載の干物用自然乾燥容器。
【請求項５】
前記矩形の枠体に開閉自在に取着される前記矩形の蓋体の一辺または対向する二辺は、前記矩形の枠体に回動自在に蝶着されて片開き戸式または両開き戸式に開閉することを特徴とする請求項１ないし請求項３に記載の干物用乾燥容器。
【請求項６】
前記矩形の枠体に着脱自在に取着される前記矩形の蓋体の四辺は、前記矩形の枠体にファスナーまたは面ファスナーにより取着されることを特徴とする請求項１ないし請求項３に記載の干物用自然乾燥容器。
【請求項７】
前記網目シートはポリプロピレン製であり、網目の大きさは好ましくは１．４２ｍｍであることを特徴とする請求項１ないし請求項６に記載の干物用自然乾燥容器。
【考案の詳細な説明】
【技術分野】
【０００１】
本考案は、魚介類を自然乾燥させて干物を製造する干物用自然乾燥容器に関する。
【背景技術】
【０００２】
魚介類を乾燥させて製造される干物は、乾燥させることにより細菌類の繁殖が抑制されて腐敗が防止されるとともに、旨み成分が生成されて風味が増すため、古来から愛好されている。この干物には、乾燥の程度によって生干、中干、乾干に分類されていて、生干は表面が乾いていて内部に９０％程度の水分が残った状態のものをいい、中干は表面および内部に５０％程度の水分が残った状態のものをいい、そして乾干は表面も内部も全乾状態のものをいう。また、この干物を製造する方法として、天日干と一夜干による自然乾燥がよく知られているが、最近では乾燥室を使用した人工乾燥がおこなわれることもある。しかし、自然乾燥は人工乾燥に比べて旨みに格段の相違があり、現在でも自然乾燥による干物がより好まれている。
【０００３】
天日干は日中、太陽の下で風に当てて自然乾燥をおこない、一夜干は夜間に風に当てて自然乾燥をおこなうものであるが、いずれの場合にもすだれや網の上に魚介類を並べたり、串刺しにして吊下げたりして放置するために、猫、犬あるいは鳥などに狙われて持っていかれたり、ハエなどの小昆虫にたかられて不衛生になったりすることから、自然乾燥中の管理には細心の注意が必要となり、手間、暇が掛かるものである。
【０００４】
猫、犬、鳥あるいはハエなどによる被害を防ぐための容器として、図４に示すものが知られている。図４に示す干物用自然乾燥容器１００は、網状の天板１０１と、網状の底板１０２を有した網状の平面視が略矩形状の筒体１０３と、筒体１０３内に数段にわたって設置された載置網板１０６、１０６、１０６とからなっていて、筒体１０３に上下方向にわたり開閉部１０４を設けたかご１０５が形成され、開閉部１０４を設けた筒体１０３の壁面を除いて載置網板１０６、１０６、１０６が固着されている。
【０００５】
また、開閉部１０４はファスナーにより左右の網状壁面が継合されていて、ファスナーを操作することにより開閉できるようになっている。
そして、乾燥用容器１００を使用する場合には、開閉部１０４を開いて載置網板１０６、１０６、１０６に干物とする魚介類を載置し、その後、開閉部１０４を閉じて干物用自然乾燥容器１００を軒先などに吊るして自然乾燥させる。
【０００６】
この干物用自然乾燥容器１００を改良した発明として、特開平８−２１４７６８号公報に掲載のものがある。特開平８−２１４７６８号公報の記載によれば、干物用自然乾燥容器１００には、載置網板１０６、１０６、１０６の取り外しができないので、洗浄等を充分におこなうことができず不衛生であり、使用場所に応じてかご１０５の高さを調整できない等で使い勝手が悪く、さらに安価に提供できない等の欠点があったとされている。そこで、特開平８−２１４７６８号公報に掲載の発明では、干物用自然乾燥容器１００の載置網板１０６、１０６、１０６に相当する網状載置板を取り外し可能とすることにより洗浄等がおこなえ、かご１０５に相当するかご体の高さを低くすることができるようにしたものである。
【特許文献１】特開平８−２１４７６８号公報
【考案の開示】
【考案が解決しようとする課題】
【０００７】
しかしながら、図４に示す従来の干物用自然乾燥容器１００も特開平８−２１４７６８号公報に記載の発明も、網状の筒体内で干物とする魚介類を所定の載置板上に載置して自然乾燥させている。このため、たとえ載置板が網で形成されていても、載置板に接する干物とする魚介類の面は十分に風に当てることができず、また、風は主に水平方向に吹くため、地面に平行に置かれている魚介類に対しては、風を受ける面積が狭く、風を有効に利用しているとはいえない。まして、網状の筒体で囲まれた干物用自然乾燥容器にあっては、風の流通が網によってある程度妨げられるため、網を吹き抜ける風を有効に利用することは、より一層必要な要件といえる。
【０００８】
そこで、本願考案は、風を有効に利用して天日干や一夜干の自然乾燥時間を短縮することができ、かつ、衛生的な干物用自然乾燥容器を提供することを目的とする
【課題を解決するための手段】
【０００９】
上記課題を解決するために、請求項１に係る干物用自然乾燥容器は、帯板の幅広の面を互いに対向させて形成される矩形の枠体と、前記矩形の枠体の開放両面に取着され網目シートで形成される２つの矩形の蓋体と、前記矩形の枠体を形成する垂直方向の帯板の対向する２つの幅広の面に取着され、魚介類を串刺しおよび／または吊下する串の両端を担持する１対以上の串担持片とからなり、前記矩形の蓋体の少なくとも１つが前記矩形の枠体に開閉自在または着脱自在に取着されていることを特徴としている。
また、請求項２に係る干物用自然乾燥容器は、請求項１に記載の干物用自然乾燥容器であって、前記矩形の枠体を形成する帯板は木製、金属製または合成樹脂製の硬質材料であることを特徴としている。
そして、請求項３に係る干物用自然乾燥容器は、請求項１に記載の干物用自然乾燥容器であって、前記矩形の枠体を形成する帯板は金属製あるいは合成樹脂の細棒で形成された矩形のフレームに張架された布製シートまたは合成樹脂製シートであることを特徴としている。
さらに、請求項４に係る干物用自然乾燥容器は、請求項１ないし請求項３に記載の干物用自然乾燥容器であって、前記矩形の枠体に開閉自在に取着される前記矩形の蓋体は、前記矩形の枠体に対して垂直方向または水平方向に摺動して開閉することを特徴としている。
また、請求項５に係る干物用自然乾燥容器は、請求項１ないし請求項３に記載の干物用自然乾燥容器であって、前記矩形の枠体に開閉自在に取着される前記矩形の蓋体の一辺または対向する二辺は、前記矩形の枠体に回動自在に蝶着されて片開き戸式または両開き戸式に開閉することを特徴としている。
そして、請求項６に係る干物用自然乾燥容器は、請求項１ないし請求項３に記載の干物用自然乾燥容器であって、前記矩形の枠体に着脱自在に取着される前記矩形の蓋体の四辺は、前記矩形の枠体にファスナーまたは面ファスナーにより取着されることを特徴としている。
さらに、請求項７に係る干物用自然乾燥容器は、請求項１ないし請求項６に記載の干物用自然乾燥容器であって、前記網目シートはポリプロピレン製であり、ハエなどの小昆虫に網目の大きさは好ましくは１．４２ｍｍであることを特徴としている。
【考案の効果】
【００１０】
請求項１に記載の干物用自然乾燥容器は、矩形の枠体と該矩形の枠体の開放両面に取着される網目シートで形成される２つの矩形の蓋体とから構成されるかご状の直方体であり、２つの前記矩形の蓋体は対向していて、前記矩形の蓋体を形成する網目シートを通して風をかご状の直方体内に取り入れることができる。
また、１対の串担持片に架設された串は、前記矩形の蓋体に対して平行であるため、前記串に串刺しされおよび／または吊下された魚介類は、前記矩形の蓋体に対して向き合う状態となる。したがって、串刺しされた魚介類および／または吊下された魚介類の前後から網目シートを通過した風を有効にあてることができる。
そして、前記矩形の蓋体の少なくとも１つが前記矩形の枠体に開閉自在または着脱自在に取着されるため、干物用自然乾燥容器であるかご状の直方体内に魚介類を串刺しおよび／または吊下する複数の串を設置する場合には、前記矩形の蓋体の少なくとも１つを全開しまたは取外すことにより、きわめて短時間に設置することができる。この設置に至る時間を短くすることは、天候に左右される自然乾燥においてはきわめて重要な要素である。
【００１１】
また、請求項２に記載の干物用自然乾燥容器は、木製、金属製または合成樹脂製の硬質材料で矩形の枠体を形成していて枠体自体が自立する。このため、枠体の開放両面に取着される網目シートで形成された矩形の蓋体の外周縁が補強されず、自立できないような場合であっても、矩形の蓋体は矩形の枠体の外周縁に固着されることにより緊張した状態となる。また、干物用自然乾燥容器自体も自立することができるため、従来例における干物用自然乾燥容器が魚介類を自然乾燥させる場合には、主として吊下げることを要件としているのに対し、本願考案においては、吊り下げることは勿論、床置き式としても使用することができ、干物用自然乾燥容器を設置する場所を選ばない。
【００１２】
そして、請求項３に記載の干物用自然乾燥容器は、細棒で形成された矩形のフレームに張架された布製シートまたは合成樹脂製シートである帯板によって矩形の枠体を形成している。このため、枠体自体が自立して前述の請求項２に記載の干物用自然乾燥容器の効果を奏するとともに、矩形のフレームを折畳自在の構造とすることにより、枠体自体が折畳自在となる。
【００１３】
さらに、請求項４に記載の干物用自然乾燥容器は、矩形の蓋体が矩形の枠体に対し垂直方向または水平方向に摺動して開閉するようになっていて、請求項５に記載の干物用自然乾燥容器は、矩形の蓋体が矩形の枠体に対し片開き戸式または両開き戸式に開閉するようになっている。このため、前者の開閉機構であっても後者の開閉機構であっても簡便な機構であり、故障が少なくメンテナンスも容易である。
【００１４】
また、請求項６に記載の干物用自然乾燥容器は、矩形の蓋体が矩形の枠体に対しファスナーまたは面ファスナーにより取着される。このため、矩形の蓋体は矩形の枠体にいわばワンタッチで着脱できるとともに、請求項３に記載の矩形の枠体に本願考案に係る矩形の蓋体を干物用自然乾燥容器の構成要素とした場合に、矩形の蓋体の外周縁を補強枠等で補強しなければ、矩形の蓋体も折畳可能となることから、干物用自然乾燥容器自体が折畳可能となる。
【００１５】
さらに、請求項７に係る干物用自然乾燥容器は、網目シートをポリプロピレン製としているため、汚れがつきにくく、かつ、汚れた場合であっても水洗いにより簡単に汚れが落ち、きわめて衛生的である。そして、網目の大きさは、ハエなどの小昆虫が干物用自然乾燥容器内部に入り込まないような大きさとする必要があり、その大きさ以下であれば干物用自然乾燥容器としての機能を満たすことになるが、あまりに網目を小さくすると、風の通りが悪くなり、また、あまりに網目を大きくすると網目を構成する線がずれてハエなどの小昆虫が入り込むことにもなるため、網目の大きさは、１．４２ｍｍであることが好ましい。
【考案を実施するための最良の形態】
【００１６】
本考案を実施するための最良の形態に係る実施例１ないし実施例３について、図１ないし図３に基づいて説明する。ここで、図１は、実施例１に係る干物用自然乾燥容器の全体斜視図であり、図２は、実施例２に係る干物用自然乾燥容器の全体斜視図であり、図３は、実施例３に係る干物用自然乾燥容器の全体斜視図である。
【００１７】
まず、実施例１について図１を基に説明する。
図１において、符号１は実施例１に係る干物用自然乾燥容器、符号１２は矩形の枠体、符号１８は矩形の蓋体、符号１８ａおよび符号１８ｂは第１の矩形の蓋体および第２の矩形の蓋体、符号２４は網目シート、符号２６は蓋体補強枠、符号２８は串担持片、符号２９は串挿入スリット、符号３２は串、符号３６は魚体である。
【００１８】
干物用自然乾燥容器１は矩形の枠体１２と第１の矩形の蓋体１８ａと第２の矩形の蓋体１８ｂと複数対の串担持片２８、２８、・・・から構成されていて、本実施例において、矩形の枠体１２は木製である。また、本実施例における矩形の枠体１２は、外外寸法で幅４１５ｍｍ、高さ５８５ｍｍ、奥行き１５０ｍｍの大きさとしている。なお、矩形の枠体１２を金属製とした場合には、矩形の枠体１２を形成する帯板は、幅方向の両端を互い対向する方向に折り曲げた溝形状とすることが好ましい。
【００１９】
また、矩形の蓋体１４は、網目シート２４と網目シート２４の周縁に周設された蓋体補強枠２６から構成されていて、本実施例において、蓋体補強枠２０はアルミ製であるが、木製であっても合成樹脂製であってもよいことは勿論である。そして、矩形の枠体１２を形成する２本の縦枠の幅方向の両縁部には、垂直方向の対向する位置に摺動溝が刻設されていて、この摺動溝に第１の矩形の蓋体１８ａの左右辺縁および第２の矩形の蓋体１８ｂの左右辺縁が嵌合して、第１の矩形の蓋体１８ａおよび第２の矩形の蓋体１８ｂが矩形の枠体１２に対して、図１の白抜き矢印に示すように垂直方向に摺動自在となっていて、開閉するようになっている。この場合、一方の矩形の蓋体１８、たとえば第２の矩形の蓋体１８ｂを、矩形の枠体１２に固着して固定してもよいことは勿論である。なお、本実施例において網目シート１８はポリプロピレン製であり、線径を０．１５ｍｍとし網目を１．４２ｍｍ角としている。
【００２０】
串担持片２８、２８、・・・は、横長の矩形の板状片であって、長辺縁に開口するＵ字状のスリットである３つの串挿入スリット２９、２９、・・・が刻設されている。そして、本実施例においては、串担持片２８、２８、・・・は、３つの串挿入スリット２９、２９、・・・の開口部を上にして、矩形の枠体１２を形成する垂直方向の帯板の対向する２つの幅広の面それぞれに、上段、中段、下段の３箇所で固着されている。この串担持片２８の１個あたりの串挿入スリット２９、２９、・・・の個数および串担持片２２の段数は、３個あるいは３段に限定されるものではなく、魚体３６の大きさに応じて様々に変えることができる。そして、対向する位置にある串挿入スリット２９、２９、・・・に串３２の両端を上部から挿入して担持させたときには、串３２が矩形の枠体１２を形成する下枠に平行になるように設置されている。
【００２１】
つぎに、干物用自然乾燥容器１の作用について説明する。
まず、内臓を取り除いた魚体３６、３６、・・・あるいは開きにした魚体３６、３６、・・・を串３２で串刺しにし、あるいは魚体３６、３６、・・・を串３２から紐等で吊る。干物用自然乾燥容器１については、少なくとも一方の矩形の蓋体１８を取り外しておく（本実施例においては第１の矩形の蓋体１８ａを取り外している）。
つぎに、串担持片２８の串挿入スリット２９、２９、・・・に前記の串２６の両端を挿入して担持させる。図１はこのときの干物用自然乾燥容器１の状態を示している。この工程を繰り返してすべての串挿入スリット２９、２９、・・・に複数本の串３２（本実施例においては３本／段×３段＝９本）を担持させて、必要に応じて魚体３６、３６、・・・の間隔を整える。
その後、第１の矩形の蓋体１８ａを矩形の枠体１２の摺動溝に嵌合させ摺動させて矩形の枠体１２に固定し、干物用自然乾燥容器１を風通しの良い所定の位置に置く。この場合、干物用自然乾燥容器１は風の流れ方向に対し、矩形の蓋体１８を直交させるような向きとする。このようにすることで、干物用自然乾燥容器１は風を最大面積でもって受け止め、干物用自然乾燥容器１内の魚体３６、３６、・・・は風を有効に利用して、自然乾燥が促進される。
【００２２】
本実施例においては、風の強さや魚種あるいは魚形にもよるが、中干を例にとると、概ね天日干の場合は３時間〜４時間、一夜干の場合は６時間〜７時間で中干が完成する。これは図３に示す従来例の干物用自然乾燥容器に比べて、天日干の場合で約１．５時間、一夜干の場合で約３時間、短縮されることになる。
干物が完成すると、第１の矩形の蓋体１８ａを取外して、干物となった魚体３６、３６、・・・を串３２とともに干物用自然乾燥容器１内から外に取り出す。
【００２３】
つぎに、実施例２について図２を基に説明する。
図２において、符号２は実施例２に係る干物用自然乾燥容器、符号１２は矩形の枠体、符号２０は矩形の蓋体、符号２０ａおよび符号２０ｂは第１の矩形の蓋体および第２の矩形の蓋体、符号２１は蝶番、符号２４は網目シート、符号２６は蓋体補強枠、符号２８は串担持片、符号２９は串挿入スリット、符号３２は串、符号３４は吊下げ紐、符号３６は魚体である。本実施例においては、実施例２と同一の要素については同一の符号を付して、その重複する説明を省略する。実施例２は先に説明した実施例１と略同様の構成であって、その作用も略同様であるので、実施例２の説明においては、実施例１と異なる構成および作用についてのみ説明することとする。
【００２４】
干物用自然乾燥容器２は矩形の枠体１２と第１の矩形の蓋体２０ａと第２の矩形の蓋体２０ｂと串担持片２８、２８、・・・と吊下げ紐３４から構成されていて、図２に示すように第１の矩形の蓋体２０ａの左辺は、矩形の枠体１２の右の垂直の帯板の小口に蝶番２１、２１によって回動自在に蝶着されていて片開き戸状となっている。一方、第２の矩形の蓋体２０は、矩形の枠体１２に着脱自在に取着されているが、第１の矩形の蓋体２０ａ同様に片開き戸とすることも、あるいは矩形の枠体１２に固着することもできる。さらに、第１の矩形の蓋体２０ａを縦に２分割して、矩形の枠体１２に対して両開き戸状とすることもできることは勿論である。
吊下げ紐３４は、その一端が矩形の枠体１２を形成する上枠の四隅に固着された４本の紐からなっていて、他端は矩形の枠体１２の上枠の中心部上方で相互に結合されている。
【００２５】
つぎに、干物用自然乾燥容器２の作用について説明する。
図２は、内臓を取り除いた魚体３６、３６、・・・あるいは開きにした魚体３６、３６、・・・を串刺しにした串３２の両端を串担持片２８の串挿入スリット２９、２９、・・・に挿入して担持させている状態の干物用自然乾燥容器２を示している。すべての串挿入スリット２９、２９、・・・に複数本の串２６（本実施例においては３本／段×３段＝９本）を複数対の串担持片２８、２８、・・・に担持させて、必要に応じて魚体３６、３６、・・・の間隔を整えた後、第１の矩形の蓋体２０ａを閉じて、矩形の枠体１２に係止固定する。
そして、吊下げ紐３４の上端を軒先等に吊るか、あるいは所定の位置に床置きして、干物用自然乾燥容器２を所定の位置に設置する。実施例１においても吊下げ紐３４を干物用自然乾燥容器１に取着して、軒先等から吊るすことができることは勿論である。
なお、吊下げ紐３４を使用する場合には、干物用自然乾燥容器２を吊下げた状態における吊下げ紐３４の上端と矩形の枠体１２を形成する上枠との離間距離を様々に変えることにより、あるいは、吊下げた干物用自然乾燥容器２の下にさらに干物用自然乾燥容器２を吊り下げることにより、平面上の同一場所に複数個の干物用自然乾燥容器２を設置することができ、場所をとらずにきわめて経済的である。
【００２６】
つぎに、実施例３について図３を基に説明する。
図３において、符号３は実施例３に係る干物用自然乾燥容器、符号１４は矩形の枠体、符号１５は枠体シート、符号１６は枠体フレーム、符号１６ａおよび符号１６ｂは矩形フレームおよび繋ぎフレーム、符号１７は面ファスナー、符号１７ａおよび符号１７bは雄の面ファスナーおよび雌の面ファスナー、符号２２は矩形の蓋体、符号２２ａおよび符号２２ｂは第１の矩形の蓋体および第２の矩形の蓋体、符号２４は網目シート、符号２６は蓋体補強枠、符号３０は串担持片、符号３２は串、符号３４は吊下げ紐、符号３６は魚体である。本実施例においては、実施例１および実施例２と同一の要素については同一の符号を付して、その重複する説明を省略する。実施例３は先に説明した実施例１および実施例２と略同様の構成であって、その作用も略同様であるので、実施例３の説明においては、主として実施例１および実施例２と異なる構成および作用について説明する。
【００２７】
干物用自然乾燥容器２は、矩形の枠体１４と第１の矩形の蓋体２２ａと第２の矩形の蓋体２２ｂと串担持片３０、３０、・・・と吊下げ紐３４から構成されていて、矩形の枠体１４は枠体シート１５と枠体フレーム１６から構成されている。
【００２８】
枠体シート１５はループ状の帯となっていて、幅方向の両端はループ状となった内側に折り曲げられてその断面はコの字状を呈している。一方、枠体フレーム１６は、２つの矩形フレーム１６ａ、１６ａと２つの矩形フレーム１６ａ、１６ａを連結する複数本の繋ぎフレーム１６ｂ、１６ｂ、・・・とから構成されていて、枠体フレーム１６自体は直方体の形状を呈している。そして、繋ぎフレーム１６ｂ、１６ｂ、・・・は矩形フレーム１６ａ、１６ａに対して組み立て・解体が可能となっている。
矩形の枠体１４は、組み立てられた枠体フレーム１６に枠体シート１５を被装させることにより形成され、枠体シート１５の内側に折り曲げられている幅方向の両端は、矩形の枠体１４の開放面の外縁部となっていて、当該外縁部には雌の面ファスナー１７ｂが固着されている。
なお、本実施例において枠体シート１５は合成樹脂製であるが、布製でも良いことは勿論である。
【００２９】
図３において、第１の矩形の蓋体２２ａを示す図は、第１の矩形の蓋体２２ａの左上部分が外側（図３においては図の表側）に折れ曲がった状態を示していて、第１の矩形の蓋体２２ａは網目シート２４と網目シート２４の周縁に周設された蓋体補強枠２６から構成されている。本実施例において、蓋体補強枠２０は布製、あるいは折り曲げ可能な合成樹脂製である。そして、図３における蓋体補強枠２６の裏側には雌の面ファスナー１７ａが固着されている。なお、第２の矩形の蓋体２２ｂも第１の矩形の蓋体２２ａとまったく同様の構成として、矩形の枠体１４に対して脱着自在としても良く、あるいは矩形の枠体１４に固着されるようにしても良い。
【００３０】
本実施例における串担持片３０は、櫛形に折り曲げられた細棒からなっていて上部が開放された凹部が３箇所形成され、当該凹部が実施例１および実施例２における串挿入スリット２９に相当する。そして、串担持片３０の両端は２つの矩形フレーム１６ａ、１６ａの所定の位置に着脱自在に掛着される。
【００３１】
つぎに、干物用自然乾燥容器３の作用について説明する。
まず、枠体フレーム１６を直方体に組み立てて、枠体シート１５を被装させ、矩形の枠体１４を形成し、串担持片３０の両端を２つの矩形フレーム１６ａ、１６ａの所定の位置に掛着させる。そして、内臓を取り除いた魚体３６、３６、・・・あるいは開きにした魚体３６、３６、・・・を串刺しにした串２６の両端を串担持片３０の凹部に挿入して担持させる。図３はこの状態における干物用自然乾燥容器３を示している。そして、すべての串担持片３０の凹部に複数本の串２６（本実施例においては３本／段×３段＝９本）を担持させて、必要に応じて魚体３６、３６、・・・の間隔を整える。その後、矩形の枠体１４の開放面の外縁部に固着されている雌の面ファスナー１７ｂに、第１の矩形の蓋体１６ａの蓋体補強枠２６に固着されている雌の面ファスナー１７ａを掛止させ、矩形の枠体１４に第１の矩形の蓋体１６ａを固定する。
【００３２】
そして、吊下げ紐３４の上端を軒先等に吊るして、干物用自然乾燥容器３を所定の位置に向けるか、あるいは所定の位置に床置きする。吊下げ紐３４の作用については、実施例２において説明したので省略する。
本実施例においては、枠体シート１５に網目シートを使用すれば、干物用自然乾燥容器３の風の通りはさらに良くなり、自然乾燥時間がさらに短縮される。また、干物用自然乾燥容器３を使用しない場合には、干物用自然乾燥容器３を枠体シート１５、矩形フレーム１６ａ、１６ａ、繋ぎフレーム１６ｂ、１６ｂ、・・・、第１の矩形の蓋体２２ａ、第２の矩形の蓋体２２ｂおよび串担持片３０、３０、・・・に分解し、枠体シート１５、第１の矩形の蓋体２２ａおよび第２の矩形の蓋体２２ｂを折り畳んで所定の場所に収納する。
【図面の簡単な説明】
【００３３】
【図１】図１は、実施例１に係る干物用自然乾燥容器の全体斜視図である。
【図２】図２は、実施例２に係る干物用自然乾燥容器の全体斜視図である。
【図３】図３は、実施例３に係る干物用自然乾燥容器の全体斜視図である。
【図４】図４は、従来例の干物用自然乾燥容器の全体斜視図である。
【符号の説明】
【００３４】
１  実施例１に係る干物用自然乾燥容器
２  実施例２に係る干物用自然乾燥容器
３  実施例３に係る干物用自然乾燥容器
１２  実施例１および実施例２に係る矩形の枠体
１４  実施例３に係る矩形の枠体
１８  実施例１に係る矩形の蓋体
２０  実施例２に係る矩形の蓋体
２２  実施例３に係る矩形の蓋体
２４  網目シート
２６  蓋体補強枠
２８  実施例１および実施例２に係る串担持片
３０  実施例３に係る串担持片
３２  串
３４  吊下げ紐
【図１】
0003107614.tif 000003
【図２】
0003107614.tif 000004
【図３】
0003107614.tif 000005
【図４】
0003107614.tif 000006
【手続補正書】
【提出日】平成16年9月29日(2004.9.29)
【手続補正１】
【補正対象書類名】実用新案登録請求の範囲
【補正対象項目名】請求項１
【補正方法】変更
【補正の内容】
【請求項１】
帯板の幅広の面を互いに対向させて形成される矩形の枠体と、
前記矩形の枠体の開放両面に取着され網目シートで形成される２つの矩形の蓋体と、
前記矩形の枠体を形成する垂直方向の帯板の対向する２つの幅広の面に取着され、魚介類を串刺しおよび／または吊下する串の両端を担持する１対以上の串担持片とからなり、
前記矩形の蓋体の少なくとも１つが前記矩形の枠体に開閉自在または着脱自在に取着されて、前記魚介類が垂直に懸下されることを特徴とする干物用自然乾燥容器。
【手続補正２】
【補正対象書類名】明細書
【補正対象項目名】０００９
【補正方法】変更
【補正の内容】
【０００９】
上記課題を解決するために、請求項１に係る干物用自然乾燥容器は、帯板の幅広の面を互いに対向させて形成される矩形の枠体と、前記矩形の枠体の開放両面に取着され網目シートで形成される２つの矩形の蓋体と、前記矩形の枠体を形成する垂直方向の帯板の対向する２つの幅広の面に取着され、魚介類を串刺しおよび／または吊下する串の両端を担持する１対以上の串担持片とからなり、前記矩形の蓋体の少なくとも１つが前記矩形の枠体に開閉自在または着脱自在に取着されて、前記魚介類が垂直に懸下されることを特徴としている。
また、請求項２に係る干物用自然乾燥容器は、請求項１に記載の干物用自然乾燥容器であって、前記矩形の枠体を形成する帯板は木製、金属製または合成樹脂製の硬質材料であることを特徴としている。
そして、請求項３に係る干物用自然乾燥容器は、請求項１に記載の干物用自然乾燥容器であって、前記矩形の枠体を形成する帯板は金属製あるいは合成樹脂の細棒で形成された矩形のフレームに張架された布製シートまたは合成樹脂製シートであることを特徴としている。
さらに、請求項４に係る干物用自然乾燥容器は、請求項１ないし請求項３に記載の干物用自然乾燥容器であって、前記矩形の枠体に開閉自在に取着される前記矩形の蓋体は、前記矩形の枠体に対して垂直方向または水平方向に摺動して開閉することを特徴としている。
また、請求項５に係る干物用自然乾燥容器は、請求項１ないし請求項３に記載の干物用自然乾燥容器であって、前記矩形の枠体に開閉自在に取着される前記矩形の蓋体の一辺または対向する二辺は、前記矩形の枠体に回動自在に蝶着されて片開き戸式または両開き戸式に開閉することを特徴としている。
そして、請求項６に係る干物用自然乾燥容器は、請求項１ないし請求項３に記載の干物用自然乾燥容器であって、前記矩形の枠体に着脱自在に取着される前記矩形の蓋体の四辺は、前記矩形の枠体にファスナーまたは面ファスナーにより取着されることを特徴としている。
さらに、請求項７に係る干物用自然乾燥容器は、請求項１ないし請求項６に記載の干物用自然乾燥容器であって、前記網目シートはポリプロピレン製であり、ハエなどの小昆虫に網目の大きさは好ましくは１．４２ｍｍであることを特徴としている。